(57)【要約】      （修正有）【課題】化粧液剤充填用の二つの貯槽を備え、化粧をする時、手で押すだけで化粧液剤を補充して途切れずに化粧をすることができるマルチメイク用押圧式化粧道具を提供する。【解決手段】Ｕ字形管状に設けられた化粧容器本体１１は、その一側の管形開口部１２における固定弁座１３に化粧用部品１０が組み合わされ、管内底部に可動に設けられた弁体が容器底端を封止し、弁体に枢接された押し棒によって、弁体が押されてスライド移動して化粧剤を押し出すことにより、容器本体１１頂端に組み合わされた化粧用部品１０に液剤を補充する。Ｕ字形のキャップ３０は、管口３１の螺合面底縁に掻き落し部品が設けられ、キャップ３０内部に化粧液剤が充填されることにより、化粧用部品１０の挿し込み収納と化粧液剤の付着を担う。また、二つの貯槽を備えた構造により、異なる化粧液剤の充填がしやすい。【選択図】図２
0003190346.tif 000002
【実用新案登録請求の範囲】
【請求項１】
容器本体と、化粧用部品と、キャップとからなるマルチメイク用押圧式化粧道具であって、
前記容器本体は、化粧液剤を充填するために中空に設けられ、
前記化粧用部品は、前記容器本体頂端の管形開口部外側に設けられた弁座に固定され、
前記キャップは、前記容器本体外側に螺合されて密封し、
以上の構造により、化粧道具の容器が形成され、
さらに前記容器本体は、Ｕ字形管状に設けられ、
前記容器本体管口は、外周に螺合用のネジ山面が設けられ、
前記容器本体管口に固定された弁座には、前記化粧用部品が設けられて外側へ延伸し、
前記容器本体は、管形内部に化粧液剤が充填されるとともに、底部が弁体によって封止され、
前記弁体は、外側に底管体が当接固定されて貯液スペースを形成し、
前記底管体の内部中央には、押し棒が貫いて螺合され、
前記押し棒頂端は、前記弁体と枢接され、
前記底管体の内部には、さらに弾性部品と回転部品が組み合わされて設けられ、
前記回転部品の表面には歯止め面が設けられて歯止め棒部品の歯止めと互い違いに噛み合わされ、
前記底管体の外側には、歯止め棒部品の伸縮を制御するとともに、回転部品を回転させるための押圧制御部品が組み合わされ、
前記回転部品の歯止め面が徐々に開放するように回転し、これに連動して押し棒が同様に回転移動することにより、弁体が容器本体内部に向かって押されて化粧剤を押し出し、
さらに前記キャップは、Ｕ字形管状に設けられ、
前記キャップの管口内縁に螺合面が設けられ、管口内底部に逆錘状の掻き落し部品が固設され、
前記掻き落し部品の底縁におけるＵ字形の内部スペースには、化粧液剤が充填され、
前記容器本体は、前記キャップにおけるＵ字形の内部に逆向きに挿し込まれて収納されるとともに、ネジ作用で螺合され、
以上の構造により、簡便な化粧剤付着と化粧剤押圧を行い、使用上安全な化粧道具の構造をなすことを特徴とする、マルチメイク用押圧式化粧道具。
【請求項２】
前記底管体におけるＵ字形の頂端外面には、粗状面が設けられることを特徴とする、請求項１に記載のマルチメイク用押圧式化粧道具。
【請求項３】
前記化粧用部品は、リップブラシ、リキッド用リップブラシ、マスカラブラシ、アイライナー、或いは各種化粧用ブラシやペンからなることを特徴とする、請求項１に記載のマルチメイク用押圧式化粧道具。
【請求項４】
前記キャップにおけるＵ字形状の管口は、掻き落し部品を位置決めするために螺合底部が階段状に設けられることを特徴とする、請求項１に記載のマルチメイク用押圧式化粧道具。
【請求項５】
前記押し棒の表面には、位置決め溝が凹落して設けられることを特徴とする、請求項１に記載のマルチメイク用押圧式化粧道具。
【請求項６】
前記押し棒の表面は、丸棒状、或いは相対する平面を有する平棒状に設けられることを特徴とする、請求項１に記載のマルチメイク用押圧式化粧道具。
【請求項７】
前記押し棒の表面には、さらに一つ或いは相対する複数の位置決め溝が設けられることを特徴とする、請求項５に記載のマルチメイク用押圧式化粧道具。
【請求項８】
前記押し棒表面の位置決め溝は、回転部品中央孔内に設けられた凸棒と定められた方向で挿し合わされることを特徴とする、請求項５に記載のマルチメイク用押圧式化粧道具。
【請求項９】
前記歯止め棒部品外側は、定められた方向で用いられるスリーブリングに覆い包まれて位置決めされることを特徴とする、請求項１に記載のマルチメイク用押圧式化粧道具。
【請求項１０】
前記歯止め棒部品外縁には、さらにリブ溝が設けられ、
前記リブ溝は、スリーブリング内面に設けられた突起リブと同時に制御されて軸向きにスライド移動するために前記突起リブと挿し合わされることを特徴とする、請求項９に記載のマルチメイク用押圧式化粧道具。
【考案の詳細な説明】
【技術分野】
【０００１】
本考案は、化粧道具に関し、特に化粧がしやすく実用的で安全に収納できるとともに、複数の化粧液剤を充填したり、連続して化粧をしたりする際に、化粧液剤の押圧式補充により簡単に使用することができる、マルチメイク用押圧式化粧道具に関する。
【背景技術】
【０００２】
メイクアップは現代人にとって、マナーの一種であると同時に、お洒落好きな人にとっての基本的な嗜みである。一般に化粧道具は、種類に応じて化粧液剤を充填する容器本体を備え、これに化粧用部品を組み合わせて化粧に使用することが一般的である。例えば、一般的によく見られる睫毛化粧に使われるマスカラブラシにおいて、その多くは台湾特許第Ｍ３６１２６２号明細書に開示されている「回転可能なマスカラブラシの構造」のように、管形の貯蔵容器本体に化粧液剤を入れておき、頂端口部を蓋体で蓋をして、蓋体内部の中央に凸出して塑性成型された光沢のある直棒状のブラシ棒が組み合わされ、棒体が伸出した外端には、ブラシ毛が固着されたマスカラブラシヘッドが固定されて、これらが組み合わされてマスカラブラシの構造をなしている。マスカラブラシを収納する時には、容器本体内に直接差し込み、マスカラ液を付けて取り出す時には、管形開口部内に設けられた掻き落し部品によって、ブラシに付着した余分なマスカラ液を掻き落し、安全に睫毛化粧をすることができる。このような化粧道具の設計と収納は、単一の化粧液剤しか使用することができず、化粧時に繰り返し化粧剤を付けたり、異なる色の化粧をしたりする必要がある場合、別途道具を買い揃えておかなければ使用することができない。このような個別包装による設計は、携帯使用が不便であるだけでなく、化粧をする際、ブラシに付けた化粧剤が残り少なくなる度に、マスカラブラシ或いはリップブラシ等の化粧道具を容器本内部に差し込んで化粧剤を付けなければならず、使用上極めて不便である。よって、化粧の動作を一度に行いやすく且つ簡便化して、メイクアップの使用上の需要に応える必要がある。より現代化したメイクアップの使用上の需要に応えるため、従来の化粧道具及び容器における包装の構造設計にはさらに改善の余地がある。
【先行技術文献】
【特許文献】
【０００３】
【特許文献１】台湾特許第Ｍ３６１２６２号明細書
【考案の概要】
【考案が解決しようとする課題】
【０００４】
本考案は、化粧道具の組合せ容器の底端に化粧剤の押圧構造が設けられ、キャップによって形成された別の貯蔵用容器に、化粧液剤を充填し、使用前の化粧道具に適量の化粧液剤を付着させ、化粧をする際には、容器本体底端の押圧構造によって、弁体を制御してスライド移動させて液剤を押し出して化粧液剤を補充し、連続して化粧することが可能であり、化粧剤の付着と供給という実用便利性を達成することができる、マルチメイク用押圧式化粧道具を提供することを目的とする。
【０００５】
また、本考案は、キャップ内の凹型貯槽と容器本体にそれぞれ化粧液剤を充填して使用することにより、化粧時に化粧道具を取り替える必要がなく、異なる化粧液剤を複数連続して化粧に使用することを可能にし、メイクアップにおける実用便利性と安全性を達成することができる、マルチメイク用押圧式化粧道具を提供することを目的とする。
【課題を解決するための手段】
【０００６】
本考案者は専門的な化粧道具の製造メーカーであり、前述した従来の化粧道具の組合せ容器の構造に対し、そこから派生するメイクアップにおける不便さと欠点について十分に理解した上で、長年の開発と製造経験に基づき、各種の目周り、睫毛、口唇部等の化粧における利便性という需要に応えるため、本考案のマルチメイク用押圧式化粧道具を開発した。
【０００７】
本考案において、化粧用部品が組み合わされる容器本体は、Ｕ字形の管状に設けられるとともに、開口した一端の縁には化粧剤を押し出すための弁体が組み合わされることにより、化粧液剤の付着と使用を制御する。また化粧用部品一端に蓋をするためのキャップ内には、もう一つの液剤充填スペースが形成されるとともに、収納する時に化粧用部品を覆い包む。
【考案の効果】
【０００８】
本考案は、以上の構造により、一つの化粧道具に、より多くの或いは異なる化粧液剤を充填することが可能になり、押圧による化粧剤補充によって化粧がしやすくなるため、前述の化粧道具を使用して化粧する際に生じていた化粧液剤の付けにくさや連続して使用できないという欠点を、効果的に改善することができる。
【図面の簡単な説明】
【０００９】
【図１】本考案の化粧用ブラシユニットの組合せ構造を示した分解図である。
【図２】本考案の化粧道具の組合せの開放状態における外観を示した概略図である。
【図３】本考案の化粧道具の収納を示した平面概略図である。
【図４】本考案の化粧道具における押圧制御による液剤補充を示した概略図である。
【図５】本考案の押圧制御による連動構造を示した部分拡大概略図ある。
【図６】本考案のもう一つの化粧道具の組合せを示した分解図である。
【考案を実施するための形態】
【００１０】
（実施例１）
本考案のマルチメイク用押圧式化粧道具は、安全な収納が可能であるとともに、化粧の際に簡易押圧制御で化粧液剤を補充することにより連続して化粧をすることができるという、実用性を備えた化粧道具の改良構造を提供する。本考案の構造について図１〜５を参照する。化粧用部品１０の全体構造について、一般的なリップブラシの構造を例にとると、容器外観は従来の形態とほぼ同様である。中空管状の容器本体１１は、組合せ収納の主体として設けられ、中空の内部には化粧用液剤が充填され、化粧時に化粧液剤を付着させて使用するのに用いられるとともに、管形開口部１２一端には螺合ネジ山面が設けられ、中央には化粧用部品１０を固定させるための固定弁座１３が挿設され、弁座内部には液剤を通すための開閉可能な通過孔道１４が設けられて、外側に組合された化粧用部品１０への液剤出力を制御する。容器本体１１における他端の底部には、弁体１５が内向きに挿し合わされて、容器本体１１が貯液するための底部を封じる。弁体１５底部は固定された底管体２０頂端縁に直接貼合される。押し棒１６一端は、底管体２０頂端中央におけるネジ穴２１を貫いて螺合されるとともに、弁体１５中央に枢接されて組み合わされる。押し棒１６全体の表面は、丸棒状或いは相対する平面を有する平棒状に設けられ、且つ棒表面には一つ或いは相対する複数の位置決め溝１７が凹設される。底管体２０にはさらに端部外面に粗状面２２が設けられ、容器本体１１内部における定められた位置に挿し込まれて固定されることにより、容器本体１１内部において完全に封鎖された充填スペースが形成される。底管体２０が固定されているため、押し棒１６をネジ作用で回転させることにより、弁体１５を容器本体１１内部の頂端に向かって押して移動させることができる。これにより、充填された化粧液剤を押し出す動作を制御することができる。押し棒１６全体の回転は、底管体２０の管形内部に、順に相重なって接触するように設けられた弾性部品２３と回転部品２４によって制御される。回転部品２４の中央孔内に軸向と平行して設けられた直凸棒２４１は、押し棒１６表面上における位置決め溝１７と噛み合うとともに誘導する。これにより、回転部品２４が弾性によって軸向きにスライドして復位した時、押し棒１６と回転部品２４は連動して回転制御される。また回転部品２４底縁には凸出した複数の歯止め面２４２が周設されて、底部に位置する歯止め棒部品２５の歯止め面と互い違いに噛み合うことにより伝動制御される。回転部品２４と歯止め棒部品２５は、順に定められた方向に用いられるスリーブリング２６内に挿し合わされる。スリーブリング２６の内側面には予め定められた方向に突起リブ２６１が設けられて、歯止め棒部品２５外縁のリブ溝２５１と対応して挿し合わされる。これにより、歯止め棒部品２５は軸向きにしかスライド移動しない。また、歯止め棒部品２５底端は、延伸して最末端の押圧制御部品２７内部に直接挿し合わされる。以上の構造に基づき、押圧制御部品２７を押すことに連動して、スリーブリング２６が容器本体１１一端に向かってスライド移動し、歯止め棒部品２５が同様に軸向きに移動する。歯止め棒部品２５の歯止め面と回転部品２４の歯止め面２４２が互い違いに噛み合うという特性のため、押された回転部品２４が歯止め斜面に導かれて、定められた方向へスライド回転する。同時に押し棒１６が同方向へ回転し、これに連動して弁体１５が軸向き且つ内向きに移動し、内部に充填された化粧液剤が押されて弁座１３の液剤出力用の通過弘道１４へ向かい、化粧用部品１０まで押し出される。以上により、連続して化粧剤を補充して化粧に使用することができる。
【００１１】
また化粧し終えた後、化粧用部品１０は、覆い包んで蓋をするためのキャップ３０に収納される。キャップ３０はＵ字形状の長管形であり、管口３１内縁には容器本体１１のネジ山面と螺合されるための螺合面３２が設けられ、さらに螺合面底部には、階段状の構造が設けられて、錘状に収縮した口縁構造を備えた掻き落し部品３３が階段状の縁に嵌め込まれて位置決めされる。これにより、キャップ３０のＵ字形の内側底部スペースにおいて、さらに別の液剤を充填するための貯槽スペース、即ち化粧用液剤充填用の容器スペースが形成される。使用後の化粧用部品１０を収納する時は、容器本体１１を逆さにして、化粧用部品１０をキャップ３０内に直接差し込んで螺合して固定するだけで、化粧用部品１０をしっかりと安全にしまうことができる。以上により、２種の液剤を充填貯蔵することができる、新しい化粧道具の構造を提供する。
【００１２】
（実施例２）
本考案のマルチメイク用押圧式化粧道具の特長は、化粧をする時、化粧液剤を付着させて持続的且つ安定的に一定量の化粧剤を補給することにより、メイクアップがスムーズ且つ安全衛生的に行えるため、特殊なメイクアップ技術に頼らずとも、化粧がしやすく時間短縮ができるという実用的利益を達成することである。加えて、実際に組み合わせる化粧用部品１０には、各種の化粧用部品を使用することが可能である（例えば、リップブラシ、リキッド用リップブラシ、マスカラブラシ、アイライナー、或いは各種の化粧用ブラシやペン等）。図６を参照する。図は一般的なマスカラブラシの使用実施例である。本考案は、簡便な押圧方式による安定的な化粧剤の定量補充に基づき、以下のようにメイクアップに使用される。化粧用部品１０をキャップ３０の口部から取り出すと同時に、内部の掻き落し部品３３が余分な液剤を適量掻き落してから、化粧に用いる。これは従来の一般的な化粧容器の場合と似ている。化粧をしている時に、化粧用部品１０に付着した化粧剤を使い終えたり足りなくなったりした場合、容器本体１１末端の押圧制御部品２７を押すことにより、内部の歯止め棒部品２５が軸向きに前方へ移動し、歯止め面２４２の傾斜に誘導された回転部品２４が回転する。さらに押し棒１６が回転部品２４に連動するとともに底管体２０端縁のネジ穴２１による位置決めによって制御されて回転し、容器本体１１内部へ軸向きにスライド移動し、これに押された弁体１５が内向きに移動することにより、押圧による化粧剤の定量補充を行う。内部に充填された化粧液剤は、一定量押し出されて、通過弘道１４を経由してから化粧用部品１０まで押し出される。以上により、連続して化粧をすることができ、簡易な化粧剤補充でメイクアップがしやすくなる。化粧をする時は、実際の需要に応じて一定量の化粧剤を自動補充し、連続してメイクアップに使用するという実用便利性を達成する。
【００１３】
本考案において各種の化粧用部品１０を組み合わせて使用する場合、キャップ３０と容器本体１１の螺合組合せ構造により、キャップ３０がしっかりと密封されるとともに、開口部分に近い内縁に設けられた掻き落し部品３３がキャップ３０内部に貯槽スペースを形成し、ここに化粧液剤を充填することができるため、化粧用部品１０の収納と同時に化粧剤が自動で付着される。化粧をする時、容器本体１１を開けるとともに掻き落し部品３３が余分な化粧剤を掻き落し、安全に化粧をすることができる。再度化粧液剤を付ける必要がある時、容器本体１１一端の押圧制御部品２７を押すことにより、これに連動して、容器底部を封止していた弁体１５が出口側へ向かってスライド移動して化粧剤を押し出し、押し棒１６と歯止めが徐々に開放するように回転制御することによって、定量の化粧剤が押し出される。以上により、化粧液剤が自動補充され、化粧がさらに簡便になり、衛生及び安全性に合致した実用便利性という効果が達成される。
【００１４】
本考案が提供する二つの液剤貯槽の構造は、一つの化粧道具の容器構造において、同時に異なる化粧液剤或いは異なる色の液剤を充填することができるため、複数色を用いた特殊化粧をする際に便利且つ安全に使用することができる。以上のように、本考案は、実用的であるとともに、多様なメイクアップにおける変更と選択がしやすく、且つ連続して化粧をすることができるいう特長により、化粧容器と化粧道具の構造設計における新しい改良を可能にする。
【符号の説明】
【００１５】
１０   化粧用部品
１１   容器本体
１２   管形開口部
１３   弁座
１４   通過弘道
１５    弁体
１６   押し棒
１７   位置決め溝
２０   底管体
２１   ネジ穴
２２   粗状面
２３   弾性部品
２４   回転部品
２４１ 凸棒
２４２ 歯止め面
２５   歯止め棒部品
２５１ リブ溝
２６   スリーブリング
２６１ 突起リブ
２７   押圧制御部品
３０   キャップ
３１   管口
３２   螺合面
３３   掻き落し部品
【図１】
0003190346.tif 000003
【図２】
0003190346.tif 000004
【図３】
0003190346.tif 000005
【図４】
0003190346.tif 000006
【図５】
0003190346.tif 000007
【図６】
0003190346.tif 000008